【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
パッチパネルであって、
上側フランジと下側フランジと複数の面板開口部を有するフレームと、
該フレームの上側フランジと下側フランジ間に取り付け可能で、複数の取り付け開口部を有すると共に各取り付け開口部が少なくとも１つのモジュラージャック保持ラッチを備える面板と、
前記面板の後側部に取り付け可能な少なくとも１つのモジュラージャックと、を具備することを特徴とするパッチパネル。
【請求項２】
前記フレームは６個の面板開口部を有する請求項１に記載のパッチパネル。
【請求項３】
前記上側フランジは、複数の第一の孔を含み、前記下側フランジは、複数の第二の孔を含む請求項１に記載のパッチパネル。
【請求項４】
前記第一の孔の少なくとも１つは、少なくとも１つの第一の面板保持ラッチと嵌合し、前記第二の孔の少なくとも１つは、少なくとも１つの第二の面板保持ラッチと嵌合する請求項３に記載のパッチパネル。
【請求項５】
前記フレームは、その第一の端部からその第二の端部まで水平に延在する中央バーを有する請求項１に記載のパッチパネル。
【請求項６】
前記フレームは、モジュラージャック位置の各々の上方に中心がある標識を有する請求項１に記載のパッチパネル。
【請求項７】
前記フレームは、その第一の端部における複数の第一の取り付け開口と、その第二の端部における複数の第二の取り付け開口とを有する請求項１に記載のパッチパネル。
【請求項８】
前記面板は、前記フレームに着脱自在に取り付けられる請求項１に記載のパッチパネル。
【請求項９】
前記面板は、前記フレームの後側部に取り付けられる請求項１に記載のパッチパネル。
【請求項１０】
前記面板は、少なくとも１つの第一の面板保持ラッチを含む上側フランジと、少なくとも１つの第二の面板保持ラッチを含む下側フランジとを有する請求項１に記載のパッチパネル。
【請求項１１】
前記面板の上側フランジは、少なくとも１つの解放アームを備える請求項１０に記載のパッチパネル。
【請求項１２】
前記面板は、４つの取り付け開口部を備える請求項１に記載のパッチパネル。
【請求項１３】
前記面板の取り付け開口部の各々には、２つのモジュラージャックが装着される請求項１に記載のパッチパネル。
【請求項１４】
前記面板の取り付け開口部の各々は、２つのモジュラージャック保持ラッチを備える請求項１に記載のパッチパネル。
【請求項１５】
前記面板の取り付け開口部の各々は、モジュラージャックの横方向位置を規制するための複数のモジュラージャックストッパを備える請求項１に記載のパッチパネル。
【請求項１６】
前記複数のモジュラージャックストッパは、前記面板の下側フランジに沿って配置されている請求項１５に記載のパッチパネル。
【請求項１７】
前記面板の各々は、８つのモジュラージャック取り付け位置を有する請求項１に記載のパッチパネル。
【請求項１８】
前記モジュラージャック取り付け位置の各々は、複数のモジュラージャックストッパを備える請求項１７に記載のパッチパネル。
【請求項１９】
前記モジュラージャックの各々は、前記面板に着脱自在に取り付けられる請求項１に記載のパッチパネル。
【請求項２０】
前記モジュラージャックの各々は、同一の向きで前記面板に取り付けられる請求項１に記載のパッチパネル。
【請求項２１】
前記モジュラージャックの各々は、前記面板の取り付け位置に対して、直線経路に沿って滑りながら装着される請求項１に記載のパッチパネル。
【請求項２２】
前記モジュラージャックの少なくとも２つは、前記パッチパネル内で垂直方向に並んでいる請求項１に記載のパッチパネル。
【請求項２３】
１つのラックユニット内に４８個のモジュラージャックを備える請求項１に記載のパッチパネル。
【請求項２４】
パッチパネルであって、
複数の面板開口部を有するフレームと、
該フレームの後側部に取り付け可能で、複数の取り付け開口部を有すると共に各取り付け開口部が少なくとも１つのモジュラージャック保持ラッチを備える面板と、
前記面板の後側部に取り付け可能な少なくとも１つのモジュラージャックと、を具備することを特徴とするパッチパネル。
【請求項２５】
面板組立体において、
複数の取り付け開口部を有し、各取り付け開口部に少なくとも１つのモジュラージャック保持ラッチを備える面板と、
前記面板の取り付け位置に対して直線経路に沿って滑りながら装着され得る少なくとも１つのモジュラージャックとを備え、
前記取り付け開口部の各々は、装着されたモジュラージャックの横方向位置を規制するためのガイドを更に備えた面板組立体。
【手続補正２】
【補正対象書類名】明細書
【補正対象項目名】０００１
【補正方法】変更
【補正の内容】
【０００１】
本発明は、パッチパネル、より具体的には、合計４８個のポートを１つのＥＩＡ／ＴＩＡラックユニット内に収容するため６個の８位置面板を利用する高密度パッチパネルに関する。
本出願は、その内容の全体を参考として引用し本明細書に含めた、２００３年４月３日付けで出願された、米国仮特許出願第６０／４５９，２１７号の優先権を主張するものである。
【手続補正３】
【補正対象書類名】明細書
【補正対象項目名】０００２
【補正方法】変更
【補正の内容】
【０００２】
任意の標準型の４８．２６ｃｍ（１９インチ）のネットワークラックに取り付けられ且つ、１つのラック空間を利用するフレームを有する２４個のポート及び３２個のポートパッチパネルは、電気通信分野にて既知である。しかし、米国特許第５，６７２，０７４号に開示されたコネクタ取り付け受け具のような、従来技術の装置は、コネクタを回転させて面板と係合させることを必要とし、従って、コネクタ列の間にかなりの量の空間を必要とする。
【特許文献１】米国特許第５，６７２，０７４号
【手続補正４】
【補正対象書類名】明細書
【補正対象項目名】０００３
【補正方法】変更
【補正の内容】
【０００３】
更に、任意の標準型の４８．２６ｃｍ（１９インチ）のＥＩＡ／ＴＩＡネットワークラックに取り付けられ且つ、１つのラック空間を利用するフレームを有する４８個のポートのパッチパネルは、電気通信分野にて既知である。しかし、ハビエル・プレミス・ワイヤリングＵＤＸシリーズジャックパネル（Ｈｕｂｂｅｌ‘ｓ  Ｐｒｅｍｉｓｅ  Ｗｉｒｉｎｇ  ＵＤＸ  Ｓｅｒｉｅｓ  Ｊａｃｋ  Ｐａｎｅｌｓ）のような従来技術の装置は、コネクタをパッチパネルフレームの後部内に直接、取り付け、従って、フレーム内に取り付けられた面板を有しない。
【手続補正５】
【補正対象書類名】明細書
【補正対象項目名】０００５
【補正方法】変更
【補正の内容】
【０００５】
２列のモジュラージャックの間にて必要とされる距離を最小にし得るように面板に真直ぐに取り付けることのできる複数のモジュラージャックを有するパッチパネルを提供することが更に望ましい。
【手続補正６】
【補正対象書類名】明細書
【補正対象項目名】０００６
【補正方法】変更
【補正の内容】
【０００６】
１つのパッチパネルが開示される。該パッチパネルは、フレームと、該フレームの後側部に取り付け可能な面板と、該面板の後側部に取り付け可能な少なくとも１つのモジュラージャックとを有している。該フレームは、複数の面板開口部を有しており、また、該面板は、複数の取り付け開口部を有している。取り付け開口部の各々は、少なくとも１つのモジュラージャック保持ラッチを有している。
【手続補正７】
【補正対象書類名】明細書
【補正対象項目名】０００７
【補正方法】変更
【補正の内容】
【０００７】
好ましくは、フレームは、複数の第一の孔を含む上側フランジと、複数の第二の孔を含む下側フランジとを有している。更に、フレームは、モジュラージャックの各位置の上方に中心がある標識を有している。
【手続補正８】
【補正対象書類名】明細書
【補正対象項目名】０００８
【補正方法】変更
【補正の内容】
【０００８】
好ましくは、フレームは、６つの面板が取り付けられ、その第一の端部からその第二の端部まで水平に延在する中央バーとを有するようにする。更に、フレームは、第一の端部における複数の第一の取り付け開口と、第二の端部における複数の第二の取り付け開口とを有している。
【手続補正９】
【補正対象書類名】明細書
【補正対象項目名】０００９
【補正方法】変更
【補正の内容】
【０００９】
好ましくは、面板は、複数の第一の面板保持ラッチを含む上側フランジと、複数の第二の面板保持ラッチを含む下側フランジとを有するようにする。
好ましくは、面板の各々は、４つの取り付け開口部と、８つのモジュラージャック開口部とを有するようにする。取り付け開口部の各々は、２つのモジュラージャックが取り付けられ得るもので、２つのモジュラージャック保持ラッチと、３つのモジュラージャックストッパと有している。
【手続補正１０】
【補正対象書類名】明細書
【補正対象項目名】００１０
【補正方法】変更
【補正の内容】
【００１０】
好ましくは、パッチパネルは、１つのＥＴＡ／ＴＩＡラックユニット内に４８個のモジュラージャックを有し、少なくとも２つのモジュラージャックがパッチパネル内で垂直に整合されるようにする。
【手続補正１１】
【補正対象書類名】明細書
【補正対象項目名】００１１
【補正方法】変更
【補正の内容】
【００１１】
図示した本発明の実施の形態は、１つのラックユニットの合計４８個のポートに対して６つの８位置面板を利用する高密度パッチパネルに関するものである。ＥＩＡ／ＴＩＡ標準規格によれば、１つのラックユニットの高さは、４．２９ｃｍ（１．７５インチ）である。
図１には、完全に組み立てた高密度パッチパネル２０が示してある。該パッチパネル２０は、フレーム２２（図２から図４参照）と、面板２４のような複数の面板（図５から図８参照）と、モジュラージャック２６のような複数のモジュラージャック（図９から図１１参照）とを有している。好ましくは、フレーム２２は金属であり、また、面板２４はプラスチックである。しかし、フレーム２２及び面板２４を各種の材料で製造することも同様に考えられる。
【手続補正１２】
【補正対象書類名】明細書
【補正対象項目名】００１３
【補正方法】変更
【補正の内容】
【００１３】
図２から図４には、フレーム２２が示してある。フレーム２２は、平担であるが、その開示内容を参考として引用し本明細書に含めた米国特許出願第０９／９１６，９２３号に開示されたように、フレーム２２は角度を付けることも同様に考えられる。フレーム２２は、フレーム２２の水平方向長さに沿って伸び且つ、フレーム２２に強度を持たせる中央バー２８を有している。該中央バー２８は、面板開口部３８の各々を２つの別個の開口部に分割する。図２に最も良く示すように、フレーム２２は、孔３２のような複数の孔を含む上側フランジ３０を有している。同様に、図４に最も良く示すように、フレーム２２は、孔３６のような、複数の孔を含む下側フランジ３４を有している。孔３２、３６は、面板２４をフレーム２２の後側部内にスナップ式に取り付けることを許容する。
【手続補正１３】
【補正対象書類名】明細書
【補正対象項目名】００１４
【補正方法】変更
【補正の内容】
【００１４】
図２及び図３に最も良く示すように、フレーム２２は、図９から図１１に示したモジュラージャック２６のような、複数のモジュラージャックを受け入れる、面板開口部３８のような複数の面板開口部を有している。参照番号１−４８で示すような標識４０は、シルクスクリーン印刷され且つ、フレーム２２の個々のポートの各々を識別し得るように取り付け開口部位置の各々の上方に中心がある。フレーム２２は、また、フレーム２２を任意のＥＩＡ／ＴＩＡ標準型の４８．２６ｃｍ（１９インチ）ラックに固着するため、取り付け開口４２のような、複数の取り付け開口も有している。
【手続補正１４】
【補正対象書類名】明細書
【補正対象項目名】００１５
【補正方法】変更
【補正の内容】
【００１５】
図５から図８には、面板２４が示してある。図５に最も良く示すように、面板２４は、２つの面板保持ラッチ４６、４８及び２つの解放アーム４７、４９を含む上側フランジ４４を有している。同様に、図８に最も良く示すように、面板は、２つの面板保持ラッチ５２、５４を含む下側フランジ５０を有している。保持ラッチ４６、４８、５２、５４は、面板２４を図１２に示すように、フレーム２２の後側部にスナップ式に取り付けるのを可能とし、２つの解放アーム４７、４９は面板２４をフレーム２２から取り外すことを可能とする。
【手続補正１５】
【補正対象書類名】明細書
【補正対象項目名】００１６
【補正方法】変更
【補正の内容】
【００１６】
図５及び図６に最も良く示すように、面板２４は、４つの取り付け開口部５６、５８、６０、６２を有しており、また、取り付け開口部の各々は、面板２４の強度を増し得るように２つのモジュラージャックのみを受け入れる。取り付け開口部の各々は、モジュラージャックを面板２４の後部に真直ぐに取り付けることを許容する２つのモジュラージャック保持ラッチ６４、６６を有している。モジュラージャック保持ラッチ６４、６６は、パッチパネルの密度を最大にし、それは、モジュラージャックを真直ぐに挿入することは、垂直に積重ねた２つのモジュラージャック間に必要とされる距離を最小にするからである。取り付け開口部の各々は、また、２つのモジュラージャックをその内部に固着する３つのモジュラージャックストッパ６８、７０、７２も有している。
【手続補正１６】
【補正対象書類名】明細書
【補正対象項目名】００１８
【補正方法】変更
【補正の内容】
【００１８】
開示した発明は、その内部に取り付けられた複数の面板を有し、面板の各々が、モジュラージャックを面板の後部に真直ぐに取り付けることを許容するモジュラージャック保持ラッチ有する高密度パッチパネルを提供する。上述し且つ図示した実施の形態、及び本発明の好ましい実施の形態は、本発明によるパッチパネルが採用できる形態の全てを掲げたものではないことを理解すべきである。これらは、現在、理解されている、本発明の一例として且つ説明のための実施の形態として機能する。単に、一例として且つ、非限定的に、その側壁にモジュラージャック保持ラッチを含む面板を有するパッチパネルは、本発明の範囲に属すると考えられる。本発明の多数のその他の形態が存在すると考えられる。
【手続補正１７】
【補正対象書類名】図面
【補正対象項目名】図５
【補正方法】変更
【補正の内容】
【図５】
2004311439.tif 000001
【手続補正１８】
【補正対象書類名】図面
【補正対象項目名】図７
【補正方法】変更
【補正の内容】
【図７】
2004311439.tif 000002
【手続補正１９】
【補正対象書類名】図面
【補正対象項目名】図１２
【補正方法】変更
【補正の内容】
【図１２】
2004311439.tif 000003
【手続補正２０】
【補正対象書類名】図面
【補正対象項目名】図１３
【補正方法】変更
【補正の内容】
【図１３】
2004311439.tif 000004
【手続補正２１】
【補正対象書類名】図面
【補正対象項目名】図１４
【補正方法】変更
【補正の内容】
【図１４】
2004311439.tif 000005
【手続補正２２】
【補正対象書類名】図面
【補正対象項目名】図１５
【補正方法】変更
【補正の内容】
【図１５】
2004311439.tif 000006
【手続補正２３】
【補正対象書類名】図面
【補正対象項目名】図１６
【補正方法】変更
【補正の内容】
【図１６】
2004311439.tif 000007